(57)【特許請求の範囲】
【請求項１】
顔を浸け得る洗面器（１）をスタンド（２）で支持し、超音波発生装置（３，３１）によって洗面器（１）内の液体（Ｗ）を超音波振動させて該液体（Ｗ）中に浸けた顔肌（Ｆ）の汚れを洗浄し得るようにした超音波洗顔機であって、
洗面器（１）は通電可能な材質製のものを使用する一方、スタンド（２）の外面の手（Ｈ）で触れ得る場所にアース板（４３）を取付けるとともに、
イオン発生器（４）を用い、該イオン発生器（４）の陰陽２極のうちの一方の電極端子（４１）を洗面器（１）に接続させる一方で、他方の電極端子（４２）を前記アース板（４３）に接続させた、
ことを特徴とする超音波洗顔機。
【請求項２】
イオン発生器（４）の各電極端子（４１，４２）の極性を切換え得るようにしたことを特徴とする請求項１に記載の超音波洗顔機。
【発明の詳細な説明】
【０００１】
【発明の属する技術分野】
本願発明は、洗面器内の液体中に顔を浸けて超音波洗浄し得るようにした超音波洗顔機に関するものである。
【０００２】
【従来の技術】
物品を液体中に浸け、その液体に超音波振動を与えると、物品表面に付着している汚れを剥離させて物品表面を洗浄できることが知られている。
【０００３】
そして、このような超音波洗浄技術を顔肌洗浄用に利用した超音波洗顔機は既に知られている。即ち、従来の超音波洗顔機は、洗面器の底部に超音波素子を取付け、超音波発生器で発生させた超音波を超音波素子で出力させて、洗面器内の液体を超音波振動させるようになっている。尚、この超音波洗顔機では、洗面器内の液体中に顔を浸け、液体を超音波振動させることによって顔肌表面の汚れ成分を剥離させるように機能する。
【０００４】
ところで、顔を洗面器内の液体中に浸けて超音波洗浄する場合は、顔を浸けている間は呼吸ができないことから、１回につきごく短時間（例えば１０秒前後）しか顔を浸けることができない。従って、この超音波洗顔機による洗顔作業は、液体中に何度も繰り返して顔を浸けて行う。
【０００５】
【発明が解決しようとする課題】
ところが、従来の超音波洗顔機では、単に超音波振動による洗浄機能しかないので、１回当たりの洗浄能力が低く、きれいに洗浄するには洗浄回数（顔浸け回数）を多くする必要があった。従って、息苦しい作業を何度も繰り返す必要があるとともに、洗顔時間が長くかかる。又、超音波振動だけでは、毛穴に入っている汚れは除去しにくく、全体的な洗浄効率が低いという問題もあった。
【０００６】
本願発明は、上記した従来の超音波洗顔機の問題点に鑑み、超音波振動による洗浄機能のほかに、電気的吸引による洗浄機能を付加した超音波洗顔機を提供することを目的としている。
【０００７】
【課題を解決するための手段】
本願発明は、上記課題を解決するための手段として次の構成を有している。
本願請求項１の発明
本願請求項１の発明は、顔を浸け得る洗面器をスタンドで支持し、超音波発生装置によって洗面器内の液体を超音波振動させて、該液体中に浸けた顔肌の汚れを洗浄し得るようにした超音波洗顔機を対象にしている。尚、超音波発生装置は、超音波発生器とその超音波発生器で発生させた超音波を出力させる超音波素子とを有しており、超音波素子を洗面器の底面に取付けて、洗面器内の液体を超音波振動させ得るようになっている。
【０００８】
この請求項１の超音波洗顔機では、洗面器として通電可能な材質製のものを使用しているとともに、スタンドの外面の手で触れ得る場所にアース板を取付けている。尚、洗面器としては、ステンレス鋼板等の金属製のものが好ましいが、通電性を有するものであれば適宜のもの（例えば合成樹脂製容器の外表面に金属粉をコーティングしたもの等）を採用できる。
【０００９】
又、この超音波洗顔機では、イオン発生器を使用している。このイオン発生器には、直流電流が供給される。そして、イオン発生器の陰陽２極のうちの一方の電極端子は洗面器に接続し、他方の電極端子はスタンドの外面に取付けたアース板に接続している。このイオン発生器は、通常は両電極端子間が開路していてイオン発生機能はないが、アース板（一方の電極端子）と洗面器（他方の電極端子）とが人体及び洗面器内の液体を介して通電することにより、洗面器内の液体中にイオンを発生させるようになる。尚、顔肌に付着している汚れ成分は＋極性のものがほとんどであり、この超音波洗顔機で顔肌の汚れを除去するには、イオン発生器の各電極端子のうちの洗面器接続側の電極端子を−極とし、アース板接続側の電極端子を＋極として使用する。
【００１０】
本願請求項１の超音波洗顔機は、次のようにして使用される。洗面器内に液体（普通の水）を入れ、超音波発生装置及びイオン発生器に通電すると、超音波発生装置により洗面器内の液体が超音波振動する。尚、この状態では、イオン発生器の各電極端子間は開路されていてイオン発生機能はないが、このままで洗面器内の液体中に顔を浸けると、液体の超音波振動により顔肌の洗浄作用（汚れ剥離作用）が行われる。
【００１１】
そして、手をアース板に触れた状態で、洗面器の液体中に顔を浸けると、アース板（一方の電極端子）と洗面器（他方の電極端子）とが人体及び洗面器内の液体を介して通電し、イオン発生器が機能して洗面器内の液体中に−極性のイオンを発生させるとともに、顔肌を＋極性にする。すると、顔肌に付着している汚れ成分（＋極性）が液体中の−極性イオンに吸引され、上記液体の超音波振動による剥離作用と相俟って、汚れ成分の除去作用が促進される。特に、毛穴に入っている汚れ成分は、超音波振動だけでは除去しにくいが、本願のように電気的に吸引すると毛穴に入っている汚れ成分も比較的容易に除去できる。
本願請求項２の発明
本願請求項２の発明は、上記請求項１の超音波洗顔機において、イオン発生器の各電極端子の極性を切換え得るようにしている。具体的には、イオン発生器に供給する直流電流の流れを切換える切換スイッチを設けている。
【００１２】
この請求項２の場合は、洗面器内に化粧水（有効成分は＋極性のものが多い）を入れて、化粧水の有効成分を顔肌の皮膚中に浸透させる機能（いわゆるイオン導入機能）を有する。即ち、上記請求項１のように、洗面器内に普通の水を入れ、洗面器側を−極性（アース板側を＋極性）にした状態で、顔肌をクレンジングした後、洗面器内の液体を化粧水に入れ替える。そして、請求項１の場合とは逆に、洗面器接続側の電極端子を＋極、アース板接続側の電極端子を−極にした状態で、アース板に手を触れ且つ顔を化粧水の中に浸ける。すると、化粧水の中に浸けた顔肌が−極性になり、化粧水中の有効成分（＋極性）が顔肌の皮膚内に電気的に吸引されるようになる。尚、この請求項２のイオン導入機能を作動させるときには、超音波発生装置をＯＦＦ（非作動状態）にしてもよいが、ＯＮ（作動状態）にしたままでもよい。
【００１３】
【発明の効果】
本願発明の超音波洗顔機には次のような効果がある。
本願請求項１の発明の効果
本願請求項１の超音波洗顔機は、１台で、顔肌に対して、超音波発生装置による超音波洗浄とイオン発生機能による電気的吸引洗浄との両方が同時に行えるので、顔肌の汚れ成分を短時間で且つ効率よく除去できるという効果がある。又、顔肌の毛穴に入っている汚れは、超音波洗浄だけでは十分に除去できないが、本願のようにイオン発生機能による電気的吸引洗浄を行うと、毛穴内の汚れ成分も比較的容易に除去することができるという効果がある。
本願請求項２の発明の効果
本願請求項２の超音波洗顔機は、請求項１において、イオン発生器の各電極端子の極性を切換え得るようにしているので、請求項１のように超音波洗浄とイオン発生機能による電気的吸引洗浄を行った後に、各電極端子の極性を切換える（アース板接続側の電極端子を−極性にする）ことにより、化粧水有効成分（＋極性）を顔肌の皮膚内に浸透させることができる。従って、この請求項２の超音波洗顔機では、上記請求項１の効果に加えて、各電極端子の極性を切替えるだけで、化粧水有効成分を皮膚内に導入させるイオン導入装置として有効利用できるという効果がある。
【００１４】
【発明の実施の形態】
以下、図１〜図３を参照して本願実施形態の超音波洗顔機を説明する。
【００１５】
この実施形態の超音波洗顔機は、図１及び図２に示すように、顔を浸け得る容積の洗面器１をスタンド２で支持するとともに、スタンド２内に超音波を発生させる超音波発生器３と洗面器１内の液体Ｗ中にイオンを発生させるためのイオン発生器４とを備えて構成されている。
【００１６】
洗面器１は、この実施形態ではステンレス鋼板製のものが使用されている。尚、この洗面器１は、通電可能なものであれば適宜のものを採用でき、金属製のもののほかに、例えば合成樹脂製容器の外表面に金属粉をコーティングしたものも採用可能である。
【００１７】
スタンド２は、合成樹脂製で適宜高さの周壁を有している。スタンド２の上部側には大きな開口があり、洗面器１をスタンド２上に載せた状態では、洗面器１の底面１１が下方に露出するようになっている。
【００１８】
超音波発生器３及びイオン発生器４には、商業電源に接続される電源プラグ６、交流電流を直流電流に変換するＡ／Ｄ変換器７、各種制御を行う基盤８等を介してそれぞれ直流電流が供給される。尚、他の実施形態では、電源として電池を使用し、直流電流を直接、基盤８に供給するようにしてもよい。
【００１９】
基盤８の各種制御は、スタンド２の外面に設けた操作盤９から行える。この操作盤９には、超音波発生器３やイオン発生器４のＯＮ・ＯＦＦスイッチ、超音波発生器３の出力ボリューム、イオン発生器４への電流の流れを切換える切換スイッチ等が設けられている。尚、イオン発生器用の切換スイッチは、後述するように、この洗顔機をクレンジング用に使用する場合と、イオン導入用に使用する場合との切換えを行うものである。
【００２０】
洗面器１の底面１１の中央部分には、超音波発生器３で発生させた超音波を出力する超音波素子３１が取付けられている。そして、超音波素子３１が作動すると、洗面器底面１１を介して洗面器１内の液体Ｗを超音波振動させるようになっている。
【００２１】
スタンド２の左右外側面には、それぞれアース板４３，４３が取付けられている。このアース板４３，４３は、洗面器１内に顔を浸ける際に、手を触れ得る位置に設けている。尚、このアース板４３は片側だけでもよい。
【００２２】
イオン発生器４からは、２本のリード線が導出されている。この各リード線の先端は、陰陽２つの極性の電極端子４１，４２となる。そして、一方の電極端子４１は洗面器１の底面１１に接続され、他方の電極端子４２，４２（２つに分岐させている）はアース板４３，４３に接続されている。
【００２３】
この実施形態の超音波洗顔機は、次のようにして使用される。尚、図２には顔肌Ｆの汚れを除去（クレンジング）するときの使用形態を示し、図３には化粧水Ｗ1の有効成分を顔肌の皮膚内に浸透（イオン導入）させるときの使用形態を示している。
【００２４】
図２の場合は、イオン発生器４の陰陽２極のうちの洗面器接続側の電極端子４１が−極性となり、各アース板接続側の電極端子４２，４２が＋極性となるようにして使用する。尚、この各極性の設定は、操作盤９に設けた切換スイッチで行う。そして、洗面器１内に液体（普通の水）Ｗを入れ、超音波発生器３及びイオン発生器４に通電すると、超音波発生器３で発生させた超音波が超音波素子３１から出力されて洗面器１内の液体Ｗが超音波振動する。尚、この状態では、イオン発生器４の各電極端子間４１，４２は開路されていてイオン発生機能はないが、このままでも洗面器１内の液体Ｗ中に顔を浸けると、液体の超音波振動により顔肌Ｆの洗浄作用（汚れ剥離作用）が行われる。
【００２５】
そして、図２において、手Ｈをアース板４３，４３（一方のアース板だけでもよい）に触れた状態で、洗面器１の液体Ｗ中に顔を浸けると、アース板４３側の電極端子４２と洗面器１側の電極端子４１間に、アース板４３、人体（手Ｈ〜顔肌Ｆ）、洗面器内の液体Ｗ及び洗面器１を介して通電される。すると、イオン発生器３が機能して洗面器１内の液体Ｗ中に−極性のイオンを発生させるとともに、顔肌Ｆを＋極性にする。このように、液体Ｗ中に−極性イオンが発生し、顔肌Ｆが＋極性になると、顔肌Ｆに付着している汚れ成分（＋極性）が液体Ｗ中の−極性イオンに吸引され、上記液体の超音波振動による剥離作用と相俟って、汚れ成分の除去作用が促進される。即ち、この超音波洗顔機では、顔肌Ｆに対して、超音波発生装置（３，３１）による超音波洗浄とイオン発生器４による電気的吸引洗浄との両方が同時に行えるので、顔肌Ｆの汚れ成分を短時間で且つ効率よく除去できる。又、毛穴に入っている汚れ成分は、超音波振動だけでは除去しにくいが、この超音波洗顔機のようにイオン発生器４による電気的吸引洗浄を行うと毛穴に入っている汚れ成分も比較的容易に除去できる。
【００２６】
他方、化粧水中の有効成分を顔の皮膚内に浸透させるときには、図３に示すように、洗面器１内に化粧水Ｗ1を入れ、操作盤９の切換スイッチで洗面器接続側の電極端子４１が＋極、アース板接続側の電極端子４２，４２が−極になるように設定しておく。そして、アース板４３に手を触れ、顔肌Ｆを化粧水Ｗ1の中に浸けると、化粧水Ｗ1の中に浸けた顔肌Ｆが−極性になり、化粧水Ｗ1中の有効成分（＋極性）が顔肌の皮膚内に電気的に吸引されるようになる。尚、このイオン導入機能を作動させるときには、超音波発生装置をＯＦＦ（非作動状態）にしてもよいが、ＯＮ（作動状態）にしたままでもよい。
【００２７】
このように、この超音波洗顔機では、切換スイッチによるイオン発生器４の各電極端子４１，４２の極性切換で、クレンジング機能とイオン導入機能とを選択して実行させることができ、１台に２役の機能を付与することができる。
【図面の簡単な説明】
【図１】本願実施形態の超音波洗顔機の全体斜視図である。
【図２】図１のII−II断面図で、クレンジング使用形態を示す図である。
【図３】図１の超音波洗顔機の別の使用形態（イオン導入形態）を示す図である。
【符号の説明】
１は洗面器、２はスタンド、３は超音波発生器、４はイオン発生器、１１は底面、３１は超音波素子、４１，４２は電極端子、４３はアース板である。
【図１】
0003646081.tif 000002
【図２】
0003646081.tif 000003
【図３】
0003646081.tif 000004